(57)【要約】【課題】破損の可能性が抑制されて、好適に取り扱うこと。【解決手段】ＸｅＦランプ１２には、軸上の一端側に光透過性の容器１９が配置され、軸上の他端側にはステムピン２０〜２３を有するステム２４が配置される。ランプフランジ２６は、所定の間隔をもってステム２４の少なくとも一部を包囲し、上記所定の間隔が任意の接着部材２７によって埋められることにより、ステム２４に固定された本体部２６ａを有する。また、ランプフランジ２６は、本体部２６ａから上記軸に沿って延び、所定の間隔をもって容器１９の一部を包囲する壁形状の壁状部２６ｂを有する。【選択図】図４
2008047363.tif 000002
【特許請求の範囲】
【請求項１】
軸上の一端側に光透過性の容器を配置させ、前記軸上の他端側にはステムピンを有するステムを配置させたフラッシュランプであって、
所定の間隔をもって前記ステムの少なくとも一部を包囲し、任意の接合部材によって前記所定の間隔をおいて前記ステムに固定された本体部と、
前記本体部から前記軸に沿って延び、所定の間隔をもって前記容器の一部を包囲する壁形状の壁状部と、
を有する筒部を備えることを特徴とするフラッシュランプ。
【請求項２】
前記筒部は、
前記筒部の外周面上に設けられ、前記軸と交差する面内で突出する位置決め部を有することを特徴とする請求項１記載のフラッシュランプ。
【請求項３】
前記筒部は、
前記容器と前記ステムとが接する部分を包囲することを特徴とする請求項１又は請求項２記載のフラッシュランプ。
【請求項４】
前記容器は、前記軸に対して光出射側の外径より大きい外径を有する大径部を、前記軸に対して前記ステム側に備え、
前記壁状部は、前記大径部の少なくとも一部を包囲することを特徴とする請求項１〜３の何れか１項に記載のフラッシュランプ。
【請求項５】
前記ステムは、前記ステムピン側の端部において前記接合部材と接する部分に、フランジ部を備え、
前記筒部は、内壁において前記接合部材と接する部分に、段差部を備えることを特徴とする請求項１〜４の何れか１項に記載のフラッシュランプ。
【発明の詳細な説明】
【技術分野】
【０００１】
本発明は、フラッシュランプに関するものである。
【背景技術】
【０００２】
フラッシュランプと、該フラッシュランプを点灯させるための装置各部とがハウジングの内部に配置された光源装置が知られている（例えば、特許文献１を参照）。
【０００３】
このような光源装置におけるフラッシュランプは消耗品であるため、例えば一定の使用頻度を越えた場合には交換が必要となる。フラッシュランプを交換する際には、ユーザは、まず、例えばハウジングに設けられた開口に手を差し込んで当該使用済みのフラッシュランプを取り出す。そして、ユーザは、新しいフラッシュランプを、例えばハウジングの内部に設けられた光学ボックスのランプ挿入口に挿入する。このことにより、フラッシュランプは、光学ボックス内の所定の位置にセットされる。
【特許文献１】特許第２７５７８６６号公報
【発明の開示】
【発明が解決しようとする課題】
【０００４】
上記した構成では、交換時においてフラッシュランプをセットしやすい構造とすることが好ましい。また、交換作業の際にフラッシュランプが破損される可能性があるなどの問題点についても考慮して、取り扱いが容易な構造とすることが求められている。
【０００５】
例えば、ユーザが新しいフラッシュランプを手に握って装置内部に入れてセットする際には、該フラッシュランプと装置内部のいずれかの部分とがぶつかってしまう可能性がある。特に、ハウジングの内部に配置された光学ボックスのランプ挿入口にフラッシュランプを挿入する際に、当該フラッシュランプの光透過性の容器とランプ挿入口とがぶつかりやすい。一方、フラッシュランプの光透過性の容器は、例えばガラスなどで形成されている場合が多い。このため、フラッシュランプの容器とランプ挿入口とがぶつかった場合には当該容器にひびが入ることもあるなど、従来のフラッシュランプはその取り扱いに非常に注意を要する場合があった。
【０００６】
そこで、本発明は上記に鑑みてなされたもので、破損の可能性が抑制されて、好適に取り扱うことが可能なフラッシュランプを提供することを目的とする。
【課題を解決するための手段】
【０００７】
上記課題を解決するために、本発明のフラッシュランプは、軸上の一端側に光透過性の容器を配置させ、軸上の他端側にはステムピンを有するステムを配置させたフラッシュランプであって、所定の間隔をもってステムの少なくとも一部を包囲し、任意の接合部材によって所定の間隔をおいてステムに固定された本体部と、本体部から上記軸に沿って延び、所定の間隔をもって容器の一部を包囲する壁形状の壁状部と、を有する筒部を備える。
【０００８】
このような本発明のフラッシュランプによれば、光透過性の容器はその一部が壁状部によって包囲される。このため、壁状部は、該壁状部の外側からの衝撃が容器に直接に伝わらないように、該容器に対する保護部材としての役割を果たすことができる。
【０００９】
また、壁状部は、容器の一部を包囲するとともに、容器の軸に沿って延びる壁形状に形成されている。このため、例えば、ユーザが本発明のフラッシュランプの容器を挿入端にして光学ボックスのランプ挿入口に挿入する際に、壁状部は、容器の上記ランプ挿入口に対するガイド部材或いは保護部材としての役割を果たすことができる。このことにより、ユーザは、容器を上記ランプ挿入口に直接に接触させることなく安全に挿入することができる。したがって、本発明によれば、フラッシュランプを光源装置内部の所定の位置にセットする際の作業安全性を向上させることができる。
【００１０】
また、筒部は、該筒部の外周面上に設けられ、上記軸と交差する面内で突出する位置決め部を有する。
【００１１】
この発明によれば、筒部の外周面上に設けられた位置決め部は、壁状部の延びた方向と交差する方向に延びる。このため、位置決め部は、壁状部の外面と比べて、外側に突出するような形状を有することができる。そして、この突出した部分は、例えば容器が壁状部にガイドされながら上記ランプ挿入口に挿入されていく際に、容器の進行に対するストッパーとしての役割を果たすことができる。このことにより、フラッシュランプは、例えば、光学ボックスに挿入され過ぎることなく、光学ボックス内の所定の位置にセットされることができる。
【００１２】
また、筒部は、容器とステムとが接する部分を包囲する。
【００１３】
この発明によれば、容器とステムとの接合部分が、壁状部によって包囲される。このため、壁状部は、該壁状部の外側からの衝撃が上記接合部分に直接に伝わらないように、該接合部分に対する保護部材としての役割を果たすことができる。
【００１４】
また、容器は、上記軸に対して光出射側の外径より大きい外径を有する大径部を、上記軸に対してステム側に備え、壁状部は、大径部の少なくとも一部を包囲する。
【００１５】
この発明によれば、容器の光出射側は、ステム側より小さい外径を有する。このため、例えば容器の光出射側を挿入端にして上記挿入を行う際に、ユーザは、光出射側とランプ挿入口との間の空間をより広く確保することができる。したがって、ユーザは容器をランプ挿入口に直接に接触させずに挿入することができ、挿入時の作業安全性が向上される。
【００１６】
また、容器のステム側は光出射側より大きい外径を有するため、そこに配置されるステムをより大きく形成することができる。したがって、ステムに形成されるステムピン同士の間隔をより広く確保することができ、ステムピンの耐電圧性を向上させることができる。
【００１７】
また、大きい外径を有することによって外部との接触可能性が高い大径部の少なくとも一部分が、壁状部によって包囲される。このため、壁状部は、該壁状部の外側からの衝撃が上記大径部に直接に伝わらないように、該大径部に対する保護部材としての役割を果たすことができる。
【００１８】
また、ステムは、ステムピン側の端部において接合部材と接する部分に、フランジ部を備え、筒部は、内壁において接合部材と接する部分に、段差部を備える。
【００１９】
この発明によれば、フランジ部及び段差部は、接合部材と接する部分に設けられる。このため、ステムと接合部材との間の接触面積、及び筒部と接合部材との間の接触面積が大きくなり、ステムと筒部とをより確実に固定させることができる他、ステムにおける熱の伝導性を向上させることができる。
【発明の効果】
【００２０】
本発明によれば、破損の可能性が抑制されて、好適に取り扱うことができる。
【発明を実施するための最良の形態】
【００２１】
以下、添付図面を参照して本発明にかかるフラッシュランプの好適な実施形態を詳細に説明する。なお、図面の説明において同一の要素には同一の符号を付し、重複する説明を省略する。また、図面の寸法比率は、説明のものと必ずしも一致していない。
【００２２】
[第１実施形態]
図１は、キセノンを放電ガスとして封入したフラッシュランプ（以下、「ＸｅＦランプ」という。）１２を含む第１実施形態のフラッシュ光源装置１の外面構成を示す斜視図である。フラッシュ光源装置１のハウジング２は、図１に示すように、上部ハウジング３と下部ハウジング４との２つの部分からなる。上部ハウジング３は、その一面に光出射口７を有する。以下、光出射口７の位置する光出射面をハウジング２の前面という。このことに対応付けて、上部ハウジング３は、前面３ａ、背面３ｂ、左側面３ｃ、右側面３ｄ、上面３ｅからなる。また、下部ハウジング４は、前面４ａ、背面４ｂ、左側面４ｃ、右側面４ｄ、底面４ｅからなる。ただし、これらの各面の前後左右等の名称は説明のため便宜的に付したものであって、フラッシュ光源装置１における前後方向など、実際の装置構成や機能に必ずしもよるものではない。
【００２３】
フラッシュ光源装置１は、上部ハウジング３及びその内部に設置された各要素から構成されて、光を出射させる光源部５と、下部ハウジング４及びその内部に設置された各要素から構成されて、装置を動作させる駆動部６と、を備えている。
【００２４】
光源部５においては、上部ハウジング３の内部に、後述するＸｅＦランプ、トリガソケット、反射ミラー等が配置されており、フラッシュ光源装置１の光学系が構成されている。上部ハウジング３の前面３ａには、生成された光を外部に出射するための略円形の開口部分である光出射口７が設置されている。図１においては、光出射口７にはファイバ差込口７ａが取り付けられており、このファイバ差込口７ａにライトガイドとしてファイバ７ｂが接続されている。これによって、フラッシュ光源装置１から外部への光の出射が行われる。また、上部ハウジング３の背面３ｂ側には、蓋部９が設けられている。この蓋部９は、上部ハウジング３の内部に配置された装置各部の交換やメンテナンス時に、上部ハウジング３の内部を開放するためのものである。
【００２５】
一方、駆動部６においては、下部ハウジング４の内部に、光源部５の装置各部を駆動制御する駆動装置が格納されており、フラッシュ光源装置１の駆動系が構成されている。下部ハウジング４の前面４ａには、ユーザが駆動装置等に対して動作のＯＮ／ＯＦＦや動作状態を指示するための操作パネル８が設置されている。また、下部ハウジング４の左側面４ｃ及び右側面４ｄには、ハウジング２内の装置各部を冷却するための外気取込口１０が設けられている。
【００２６】
引き続いて、フラッシュ光源装置１の内部構成全般について、図２を参照しながら説明する。図２は、フラッシュ光源装置１の内部構成について、上部ハウジング３の右側面３ｄ及び光学ボックス１１の一部等を外した状態の右側面図である。
【００２７】
図２を参照すると、上部ハウジング３の内部には、装置前方に、前面１１ａ、背面１１ｂ、左側面、右側面、上面及び底面からなる光学ボックス１１が配置されている。光学ボックス１１の前面１１ａには、上部ハウジング３の前面３ａに設けられた光出射口７に向けて光を通過させるための略円形状の出射開口部１１ｃが設けられている。出射開口部１１ｃ及び光出射口７は、いずれも光出射の光軸（一点鎖線で表示）を中心として形成されている。
【００２８】
光学ボックス１１の内部には、生成した光を放射するためのＸｅＦランプ１２と反射ミラー１３とが配置されている。ＸｅＦランプ１２は、後述する光透過性の容器側を光学ボックス１１の背面１１ｂに設けられたランプ挿入口１１ｄを通して光学ボックス１１内に配置されることができる。ＸｅＦランプ１２は、出射開口部１１ｃ及び光出射口７に接続されたファイバ７ｂに最大光量が得られるように最適に位置調整されて、光学ボックス１１内に配置される。ＸｅＦランプ１２、光学ボックス１１等の形状、及び配置方法等については、後述する。
【００２９】
反射ミラー１３としては、例えば楕円集光ミラーなどの所定形状を有するとともに、その内面に反射面が形成されたミラーが用いられる。ＸｅＦランプ１２から放射された光は反射ミラー１３によって反射・集光され、出射開口部１１ｃを介して光出射口７に入射される。光出射口７を経た光は、ファイバ差込口７ａに接続されたファイバ７ｂに入射されて、外部に出射される。なお、図示はしないが、ＸｅＦランプ１２と出射開口部１１ｃとの間にシャッターを設け、このシャッターによって光の出射のＯＮ／ＯＦＦが切り換えられるようにしてもよい。また、光軸上には、シャッターに加えて、光量絞りや光透過フィルタなどの要素を必要に応じて更に設置しても良い。
【００３０】
光学ボックス１１は、上部ハウジング３から所定の間隔をあけて設置されており、その間隔による空間は、空気流によって装置内部の各部を冷却するための通気路として用いられる。
【００３１】
ＸｅＦランプ１２と同軸方向に延びる例えば円筒状のトリガソケット１４は、一端が、ＸｅＦランプ１２の放射反対側の端部に着脱自在に嵌め込まれることにより、駆動部６からの電力をＸｅＦランプ１２に供給することができる。また、トリガソケット１４は、ケーブル１４ａ、ソケット側コネクタ１５、駆動部側コネクタ１６を介して、駆動部６と電気的に接続されている。トリガソケット１４の具体的な形状については、後述する。
【００３２】
フラッシュ光源装置１の内部は、仕切り板１７により、光源部５と駆動部６とに分離されている。図示はしないが、仕切り板１７の下部の駆動部６に設置されている駆動装置は、電源部、駆動回路、制御用コンピュータなどを有して構成されている。下部ハウジング４の背面４ｂには電源供給部１８が設置されており、駆動装置はこの電源供給部１８を通じて外部から電源を供給される。
【００３３】
仕切り板１７上には、駆動部側コネクタ１６が設けられている。駆動部６からの電源や制御信号を光源部５内の装置各部に伝えるための駆動部側コネクタ１６は、ソケット側コネクタ１５と着脱自在に、仕切り板１７上に取り付けられている。また、仕切り板１７上には通気孔（図示せず）が設けられており、外気取込口１０から下部ハウジング４内部に取込まれた外気が上部ハウジング３内に流入されるための通気路として用いられる。
【００３４】
引き続いて、ＸｅＦランプ１２、トリガソケット１４、及びそれらの取り付け構造について、図３〜７を参照しながら詳細に説明する。図３は、ＸｅＦランプ１２を示す斜視図である。図４は、図３の長手方向に沿った概略断面図である。
【００３５】
図３〜４に示されるように、ＸｅＦランプ１２には、一点鎖線で表示された軸上の一端側に光透過性の容器１９が配置され、上記軸上の他端側には外側に突出したステムピン２０，２１，２２，２３等を有するステム２４が配置されている。容器１９は、全面を投光窓部１９ａとして形成させたガラス製のものである。ステム２４は、容器１９の開口側を塞ぐようにして固定されることにより、容器１９を密封状態とする。
【００３６】
容器１９内には、陽極２３ａと陰極２０ａとが縦に並べた状態で設置され、これら電極２３ａ，２０ａは、ステムピン２３，２０をそれぞれ介してステム２４に固定されている。第１実施形態においては、陽極２３ａの尖端と陰極２０ａの尖端とは、光軸上で対向している。また、容器１９内には、陽極２３ａと陰極２０ａとの間にその尖端が臨むように、２本のトリガープローブ電極２１ａ，２２ａが配置され、これらトリガープローブ電極２１ａ，２２ａは、ステムピン２１，２２をそれぞれ介してステム２４に固定されている。また、密封された容器１９内は高圧に保たれ、その内部には例えばキセノンガスが排気管２５を通じて封入されている。
【００３７】
ステム２４の周囲にはランプフランジ２６が配置されている。ランプフランジ２６は、所定の間隔をもって、且つステムピン２０，２１，２２，２３及び排気管２５が突出するように、ステム２４の少なくとも一部を包囲している。また、ランプフランジ２６は、上記所定の間隔が任意の接着部材２７（接合部材）によって埋められることにより、ステム２４に固定されている。この接着部材２７としては、例えば熱硬化型の無機接着剤等を用いることができる。なお、接着部材２７以外の接合部材を用いても良く、例えばネジ止めしても良い。特に、接着部材２７に加えての別途の固定手段として、ランプフランジ２６の外周面から、ランプフランジ２６を貫通し、ステム２４を押さえつけるようなネジを設けるとより好ましい。例えば少なくとも２箇所以上、好ましくは３箇所において、ネジ止めによってランプフランジ２６とステム２４との位置関係を調整しつつ固定しておいてから、接着部材２７によって固定すると、位置調整が容易で、かつ共同による確実な固定が可能となる。
【００３８】
ステム２４を包囲しており、接着部材２７によってステム２４に固定されている部分をランプフランジ２６の本体部２６ａという。一方、ランプフランジ２６の本体部２６ａからは、上記軸に沿って、壁状部２６ｂが延びている。この壁状部２６ｂは、所定の間隔をもって容器１９の一部を包囲しているため、外側からの衝撃がガラス製の容器１９に直接に伝わらないように、容器１９の保護部材としての役割を果たすことができる。
【００３９】
更に、ランプフランジ２６の外周面上には、上記軸と交差する面内で突出した位置決め部２６ｃが設けられている。第１実施形態において、位置決め部２６ｃは、上記軸と直交する方向へ突出している。位置決め部２６ｃは、後述するように、ＸｅＦランプ１２が光学ボックス１１に挿入される際の位置を決めるものである。このような本体部２６ａ、壁状部２６ｂ及び位置決め部２６ｃは一体化されており、ランプフランジ２６を構成する。
【００４０】
また、第１実施形態においては、容器１９の上記軸に対するステム２４側に、同軸に対して光出射側の外径より大きい外径の大径部１９ｂが設けられている。この構成により、大径部１９ｂ側に配置されるステム２４をより大きく形成することができる。このことによって、ステム２４に形成されるステムピン同士の間隔をより広く確保することができ、ステムピン２０，２１，２２，２３それぞれの耐電圧性を向上させることができる。
【００４１】
また、容器１９の光出射側は、ステム２４側より小さい外径を有する。このため、例えば容器１９の光出射側を挿入端にして上記挿入を行う際に、ユーザは、光出射側と光学ボックス１１のランプ挿入口３２との間の空間をより広く確保することができる。したがって、ユーザは容器１９をランプ挿入口３２に直接に接触させずに挿入することができ、挿入時の作業安全性が向上される。
【００４２】
一方で、ランプフランジ２６は、大径部１９ｂとステム２４とが接する部分を含んで、大径部１９ｂの少なくとも一部を包囲している。このような構成により、ランプフランジ２６は、外側からの衝撃が、外部との接触可能性の高い大径部１９ｂ、及び上記接する部分に直接に伝わらないように、大径部１９ｂ及び該部分の保護部材としての役割を果たすことができる。なお、第１実施形態において、ランプフランジ２６の壁状部２６ｂは、例えば図４に示されるように、大径部１９ｂの略全面を包囲している。
【００４３】
また、ステム２４は、上記軸に対するステムピン２０〜２３側の端部において、接着部材２７と接する部分に、フランジ部２８を備えている。一方、ランプフランジ２６は、その内壁において、接着部材２７と接する部分に、段差部２６ｄを備えている。このように、フランジ部２８及び段差部２６ｄを接着部材と接する部分に設けることにより、ステム２４と接着部材２７との間の接触面積、及びランプフランジ２６と接着部材２７との間の接触面積が大きくなる。このことにより、ステム２４とランプフランジ２６とをより確実に固定させることができる他、ステム２４での熱の伝導性を向上させることができる。
【００４４】
図５は、トリガソケット１４等を示す斜視図である。図５に示すように、ＸｅＦランプ１２と同軸方向に延びるトリガソケット１４は、同軸に対して一端側に、嵌合部２９を備えている。嵌合部２９は、ステムピン２０〜２３及び排気管２５が嵌合されるように、ステムピン２０〜２３等の配置位置と対応する位置に、嵌合穴２９ａを有する。ステムピン２０〜２３等と嵌合穴２９ａとが嵌合されることにより、ＸｅＦランプ１２にトリガソケット１４が着脱自在に取り付けられる。
【００４５】
トリガソケット１４には、ランプフランジ２６よりも小さい外径を有するソケットフランジ３０が取り付けられている。このソケットフランジ３０は、上記軸に対して嵌合部２９側の一端に設けられている。ソケットフランジ３０において、ステムピン２０〜２３等と嵌合穴２９ａとが嵌合されるときのＸｅＦランプ１２側の端面には、上記接着部材２７によって埋められる部分と対向する部分を含むように、窪み部３１が設けられている。このため、窪み部３１は、接着部材２７が、ステム２４とランプフランジ２６とにおいてトリガソケット１４に接する端面よりはみ出た場合に、そのはみ出た接着部材２７を納めることができる。したがって、はみ出た接着部材２７が例えばランプフランジ２６とソケットフランジ３０との間に挟まれ、ランプフランジ２６とソケットフランジ３０とがしっかりと当接できなくなったり、接着部材２７がソケットフランジ３０と当接する等によって脱落物が発生することを回避することができる。
【００４６】
図６は、ＸｅＦランプ１２にトリガソケット１４が嵌合された状態で、光学ボックス１１に固定された様子を示す図である。なお、図６は、図２においてＸｅＦランプ１２等を示す部分に対する詳細図ともいえる。
【００４７】
図６に示すように、光学ボックス１１には筒形状のランプ挿入口３２が設けられている。このランプ挿入口３２の内壁３２ａに、ランプフランジ２６の壁状部２６ｂの外面２６ｅが当接されることによって、容器１９が光学ボックス１１に収容される。一方で、上述したように、壁状部２６ｂは容器１９の一部を包囲するとともに、容器１９の軸に沿って延びる壁形状に形成されている。
【００４８】
このような構成から、例えば、ユーザが光学ボックス１１のランプ挿入口３２にＸｅＦランプ１２の容器１９を挿入端にして挿入する際に、壁状部２６ｂは、容器１９のランプ挿入口３２及び反射ミラー１３に対するガイド部材或いは保護部材としての役割を果たすことができる。このことにより、例えば、ユーザはガラス製の強度の弱い容器１９をランプ挿入口３２及び反射ミラー１３等に直接に接触させることなく安全に挿入することができる。したがって、ＸｅＦランプ１２を光源装置内部の所定の位置にセットする際の作業安全性を向上させることができる。
【００４９】
また、ランプフランジ２６には、上述したように、ＸｅＦランプ１２の管軸と直交する方向へ突出した位置決め部２６ｃが設けられている。位置決め部２６ｃは、例えば容器１９が壁状部２６ｂにガイドされながら上記ランプ挿入口３２に挿入されていく際に、ランプ挿入口３２の端部３２ｂと当接することにより、容器１９の進行に対するストッパーとしての役割を果たすことができる。このことにより、ＸｅＦランプ１２は、例えば、光学ボックス１１に挿入され過ぎることなく、光学ボックス１１内の所定の位置にセットされることができる。この場合、位置決め部２６ｃは、例えばＸｅＦランプ１２が光学ボックス１１内の最適な位置に配置されるように、予め位置調整して形成されることができる。そして、ユーザは、予め調整した最適な位置に、容易に、ＸｅＦランプ１２を配置させることができる。
【００５０】
また、壁状部２６ｂにおいて、上記軸に沿って延びたときの先端には、切欠部３３が設けられている。一方、ランプ挿入口３２の内壁３２ａには、切欠部３３に挿入されることの可能な突起部３４が設けられている。このような構成から、例えばユーザがＸｅＦランプ１２を光学ボックス１１のランプ挿入口３２に挿入する際には、切欠部３３と突起部３４とを嵌め合わせるようにして挿入する。ここで、切欠部３３と突起部３４とは、例えばＸｅＦランプ１２が光学ボックス１１内の最適な位置に配置されるように、予め位置調整して形成されることができる。この場合に、ユーザは、予め調整した最適な位置に、容易に、ＸｅＦランプ１２を配置させることができる。
【００５１】
固定部材３５は、ランプ挿入口３２と共同して、ランプフランジ２６とソケットフランジ３０とを間に挟み込むことによってしっかりと当接させ密着させるとともに、ＸｅＦランプ１２とトリガソケット１４とを光学ボックス１１に固定させるためのものである。図６に示すように、固定部材３５は、ランプフランジ２６の少なくとも一部と、ソケットフランジ３０とを包囲するとともに、筒形状の形状を有している。また、固定部材３５のランプフランジ２６側の内壁３５ａ、及び該内壁と接するランプ挿入口３２の外面３２ｃには、雌ネジ及びそれに係合する雄ネジが設けられている。このため、ユーザは、固定部材３５を回すことにより、固定部材３５のランプフランジ２６側の一端と光学ボックス１１とをしっかりと螺合させることができる。また、固定部材３５のソケットフランジ３０側の他端には、トリガソケット１４が挿通されるようにソケット挿通部３６が設けられている。このソケット挿通部３６の内径は、トリガソケット１４の外径よりは大きいが、ソケットフランジ３０の外径よりは小さくなるよう、ソケット挿通部３６の中心軸方向に向かって延びる縁部３５ｂが設けられている。
【００５２】
このような構成から、トリガソケット１４に嵌合されたＸｅＦランプ１２がランプ挿入口３２内に配置され、固定部材３５のランプフランジ２６側の一端がランプ挿入口３２に螺合していくと、固定部材３５のソケットフランジ３０側の他端はソケットフランジ３０をランプフランジ２６に密着させていく。このようにして、固定部材３５のランプフランジ２６側の一端がランプ挿入口３２にしっかりと螺合されると、ＸｅＦランプ１２とトリガソケット１４とは、ランプフランジ２６とソケットフランジ３０とを介して互いに押し付けられた状態で光学ボックス１１にしっかりと固定される。
【００５３】
このように、ＸｅＦランプ１２に固定されたランプフランジ２６とトリガソケット１４に取り付けられたソケットフランジ３０とが、固定部材３５と光学ボックス１１との間に挟み込まれることにより、互いに当接された状態で光学ボックス１１にしっかりと固定された場合には、例えばトリガソケット１４の重さによる、ＸｅＦランプ１２とトリガソケット１４との成す軸の垂直な下方向への応力は、ランプフランジ２６とソケットフランジ３０との当接部に作用するために、ＸｅＦランプ１２・トリガソケット１４の取り付け構造における構造的な安定性を確保することができる。更に、上記場合には、例えば上記応力が作用してステムピン２０〜２３が曲がり、曲がったステムピン２０〜２３によって発生したステム２４の隙間から容器１９内部のガスが外部に漏れることを防止することができる。
【００５４】
ところで、例えば前述した図４に示したように、ＸｅＦランプ１２とランプフランジ２６とは所定の間隔をおいて接着されている。この所定の間隔は、例えば容器１９内に収容された電極２０ａ，２１ａ，２２ａ，２３ａ、つまり発光領域を光学ボックス１１内の最適な位置に配置させるために、適宜調整可能とするためのものである。すなわち、ランプフランジ２６の枠内におけるＸｅＦランプ１２の配置位置は場合によって変動する。つまり、ＸｅＦランプ１２の中心軸とランプフランジ２６との中心軸とが一致しない場合もある。
【００５５】
一方で、ソケットフランジ３０付きのトリガソケット１４は、上記したランプフランジ２６付のＸｅＦランプ１２に嵌合される。このとき、仮に、ランプフランジ２６の外径とソケットフランジ３０の外径とが同じであったとすると、上記変動にしたがって、例えばランプフランジ２６の中心軸を中心とした場合のランプフランジ２６及びソケットフランジ３０で構成される部分の最外郭面が、ときにはランプフランジ２６の外面になったり、ときにはソケットフランジ３０の外面になったりする。このことにより、ＸｅＦランプ１２・トリガソケット１４の取り付け構造の全体外形に対する安定性が失われやすい。
【００５６】
ここで、例えば図５〜６に示したように、ソケットフランジ３０は、ランプフランジ２６よりも小さい外径を有するように設けられる。このため、例えば図７に示すように、ＸｅＦランプ１２の中心軸とランプフランジ２６の中心軸とを必要によってずらしたことによって上記変動が生じた場合に、ソケットフランジ３０の外面がランプフランジ２６の外面よりはみ出ることを、ソケットフランジ３０の外径が小さい分だけ、防止することができる。このことは、例えばランプフランジ２６の外面が上記最外郭面であることを維持しやすくするなど、ＸｅＦランプ１２・トリガソケット１４の取り付け構造の全体外形に対する安定性を向上させる。その結果、ＸｅＦランプ１２のランプフランジ２６における配置を調整した場合であっても、その光学ボックス１１への固定構造を調整する必要はなく、例えば最外郭面であるランプフランジ２６の外径に基づいて固定部材３５の大きさを決めて形成することができる。
【００５７】
[第２実施形態]
引き続き、本発明の第２実施形態を説明する。本発明の第２実施形態は、上述した第１実施形態と比べて、ＸｅＦランプとトリガソケットとの取り付け構造に主な相違点がある。以下では、キセノンを放電ガスとして封入した発光管（以下、「ＸｅＦランプ本体」という。）１０１を含むフラッシュランプ（以下、「ＸｅＦランプ」という。）１０２、トリガソケット１０４、及びそれらの取り付け構造について、上記相違点を中心として、順に説明する。
【００５８】
まず、ＸｅＦランプ１０２について、図８〜９を参照しながら説明する。図８は、ＸｅＦランプ１０２の分解斜視図であり、図９は、図８を別の角度から見た分解斜視図である。図８〜９に示すように、ＸｅＦランプ１０２は、ランプフランジ１０５、ＸｅＦランプ本体１０１、ランプ側スペーサ１０６、絶縁リング１０７、及びコネクタ基板１０８を備える。
【００５９】
コネクタ基板１０８は、ステムピン挿入部材１０９、基板１１０、ランプ側コネクタ１１１を備えて構成される。ステムピン挿入部材１０９は、ステムピン１０１ａ及び排気管１０１ｂが嵌合されるように、ステムピン１０１ａ等の配置位置と対応する位置に、複数のステムピン挿入穴１０９ａを有する。このような構成から、コネクタ基板１０８は、ステムピン１０１ａ等を介して、ＸｅＦランプ本体１０１に嵌合されることができる。また、ステムピン挿入部材１０９においてＸｅＦランプ本体１０１と嵌合される端面に対して反対側の端面は、基板１１０に取り付けられている。なお、ステムピン挿入部材１０９は絶縁リング１０７と一体に形成されても良い。
【００６０】
基板１１０は、ステムピン挿入部材１０９を保持するとともに、絶縁リング１０７を挟んで、且つランプ側スペーサ１０６を介して、ランプフランジ１０５に嵌合される。このことにより、ＸｅＦランプ１０２が組み立てられる。ここで、絶縁リング１０７、基板１１０、及びランプフランジ１０５には、ランプ側スペーサ１０６が配置されるための溝部１０７ａ，１１０ａ，１０５ｂがそれぞれ設けられている。ランプ側スペーサ１０６は、例えばネジであっても良く、この場合には、溝部１０５ｂを雌ネジとして構成し、ランプ側スペーサ１０６を基板１１０の外側からランプフランジ１０５に螺合することにより、ＸｅＦランプ１０２を組み立てることができる。
【００６１】
基板１１０には、ランプ側コネクタ１１１が設けられている。このランプ側コネクタ１１１は、例えば基板１１０上の配線パターン（図示せず）によって、ステムピン挿入穴１０９ａと電気的に接続されている。このことにより、ランプ側コネクタ１１１が後述するソケット側コネクタ１１４と電気的に接続される場合には、トリガソケット１０４からの電力や制御信号がＸｅＦランプ１０２、特にＸｅＦランプ本体１０１に伝えられる。また、ＸｅＦランプ本体１０１とコネクタ基板１０８との絶縁状態を保つために設けられた絶縁リング１０７には、ランプ側コネクタ１１１が配置されるための溝部１０７ｂが設けられている。
【００６２】
以上説明したＸｅＦランプ１０２の構成において、図８〜９では図示しないが、ランプフランジ１０５とＸｅＦランプ本体１０１との間の所定の間隔は、接着部材によって埋められる。
【００６３】
引き続いて、トリガソケット１０４について、図１０を参照しながら説明する。図１０は、トリガソケット１０４の分解斜視図である。図１０に示すように、トリガソケット１０４は、トリガ本体１１２、ソケット側スペーサ１１５、ソケットフランジとなるソケットつば１２２、及びトリガソケットカバー１０３を備える。
【００６４】
ソケット基板１１３には、ソケット側コネクタ１１４が設けられている。このソケット側コネクタ１１４は、例えばソケット基板１１３上のトリガ回路（図示せず）と電気的に接続されている。また、ソケット基板１１３は、ソケット側スペーサ１１５を介して、トリガソケットカバー１０３に取り付けられる。このような構成により、ランプ側コネクタ１１１とソケット側コネクタ１１４とが電気的に接続される場合には、ソケット１０４からの電力や制御信号をＸｅＦランプ１０２に伝えることができる。また、ソケットつば１２２はネジ等によってトリガソケットカバー１０３に固定され、ソケットフランジとして機能する。なお、このソケットつば１２２はトリガソケットカバー１０３と一体に形成されてもよい。
【００６５】
以上説明したトリガソケット１０４の構成において、トリガソケットカバー１０３の長さは第１実施形態の例に比べて短く、その外径は大きくなっている。この場合には、トリガソケットカバー１０３の長さが短くなった分だけ、例えば反射ミラー等、ハウジング内の他の装置各部を長く形成することができる。
【００６６】
引き続いて、ＸｅＦランプ１０２及びトリガソケット１０４の取り付け構造について、図１１〜１３を参照しながら説明する。図１１は、ＸｅＦランプ１０２及びトリガソケット１０４の取り付け構造の分解斜視図であり、図１２は、図１１を別の角度から見た分解斜視図である。図１３は、ＸｅＦランプ１０２及びトリガソケット１０４が、光学ボックス１１７に固定された様子を示す図である。
【００６７】
固定部材１１６は、ＸｅＦランプ１０２を光学ボックス１１７のランプ挿入口１１８に固定させるためのものである。図１１〜１３に示すように、固定部材１１６は、ランプフランジ１０５の少なくとも一部を包囲するとともに、筒形状の形状を有している。また、固定部材１１６のランプフランジ１０５側の端部には「Ｌ」字状の切込部１１９が設けられている。一方、ランプ挿入口１１８には、切込部１１９と対応する位置に突起１２０が設けられている。また、固定部材１１６のトリガソケット１０４側には、開口が設けられている。この開口の縁部に設けられ、開口の中心軸に向かって延びるランプ押え部１２１の内径は、ソケットつば１２２の外径より小さく設けられている。
【００６８】
このような構成から、ユーザは、固定部材１１６が、弾性部材であるソケットつば押圧用ばね１２３、ソケットつば１２２を含むトリガソケット１０４、ＸｅＦランプ１０２を順に包囲した状態で、切込部１１９と突起１２０とを嵌合させることにより、第１実施形態と同様、ＸｅＦランプ１０２のランプフランジ１０５とトリガソケット１０４のソケットフランジであるソケットつば１２２とが固定部材１１６と光学ボックス１１７との間に挟み込まれることにより、ＸｅＦランプ１０２及びトリガソケット１０４を光学ボックス１１７のランプ挿入口１１８に固定させることができる。
【００６９】
ここで、ユーザは、まず切込部１１９に突起１２０を入れてから、固定部材１１６を回すことにより、切込部１１９と突起１２０とをしっかりと嵌合させることができる。なお、ＸｅＦランプ１０２とトリガソケット１０４との結合に当たっては、ユーザは、ランプ側コネクタ１１１とソケット側コネクタ１１４とを嵌合させることにより、ＸｅＦランプ１０２に、トリガソケット１０４を取り付けることができる。ここで、ランプ側コネクタ１１１とソケット側コネクタ１１４とは、ステムピン１０１ａよりも断面積が大きく、何れか一方が雌側となる筒形状であり、他方が該筒形状に嵌合されることの可能な雄側となる棒形状であり、ともに中空部を有する。
【００７０】
以上により説明された第２実施形態によれば、ステムピン１０１ａは、ＸｅＦランプ１０２の中の他の部分（すなわち、ステムピン挿入部材１０９）とは直接に電気接続するが、トリガソケット１０４と直接的な嵌合はされていない。通常、フラッシュ光源装置の使用においては、ステムピンに高電圧や大電流が与えられるが、ステムピンはランプ内空間の有効活用のためには、断面積（具体的にはその径）の小さいものが好ましい。しかし、径の小さなものに高電圧や大電流を繰り返し与えるため、ステムピン或いはステムピンと直接に電気接続する部分（例えばトリガソケット側のステムピン挿入部）が高電圧や大電流による焼き付き等の影響から劣化しやすい傾向がある。それが原因となり、電極等の消耗等による、発光状態に関連する寿命ではなく、電気的接続部の劣化による寿命でのランプやソケットの交換を必要とする場合がある。
【００７１】
ここで、第２実施形態のように、ステムピン１０１ａがＸｅＦランプ１０２の中で他の部分と直接に電気接続し、ステムピン１０１ａがトリガソケット１０４とは直接的に嵌合されない場合には、仮にステムピン１０１ａ及びステムピン１０１ａに直接接続する部位に上記劣化が生じてもその劣化はＸｅＦランプ１０２の中で留まり、ＸｅＦランプ１０２を交換の単位として交換すれば、上記劣化は解消される。すなわち、第２実施形態によれば、ステムピン１０１ａへの高電圧や大電流が原因となり、ＸｅＦランプ１０２以外の部分（例えば、トリガソケット１０４）が劣化することを抑制できるため、その交換頻度を減少させることができる。
【００７２】
更に、第２実施形態において、ランプ側コネクタ１１１及びソケット側コネクタ１１４を、ステムピン１０１ａに比べて断面積の大きなもので構成しているので、高電圧および大電流を与えることでそれらの接続部位に及ぼす影響を更に低減することができ、トリガソケット１０４の寿命を長くすることができる。
【００７３】
以上、本発明の好適な実施形態について説明したが、本発明は上記実施形態に限定されないことは言うまでもない。
【００７４】
例えば、上記実施形態においては、例えば図３に示したように、壁状部２６ｂはＸｅＦランプ１２の管軸を中心とする連続したリング形状として設けられているが、これに限られることなく、例えば連続しない形状として設けても良い。すなわち、本体部２６ａの複数の所定部分から上記軸に沿って延びた複数の壁形状のものにより、壁状部２６ｂが構成されるようにしても良い。
【００７５】
更に、例えば図３に示すように、ＸｅＦランプ１２が光学ボックス１１のランプ挿入口に挿入される際の向きを決定する切欠部３３は、トリガープローブ電極２１ａ，２２ａが電極２３ａ，２０ａより下側に配置されるように形成されても良い。この場合には、ＸｅＦランプ１２のアークによる熱がトリガープローブ電極２１ａ，２２ａとは反対側に流れる。このため、トリガープローブ電極２１ａ，２２ａの消耗を少なくして、ＸｅＦランプ１２全体の寿命を長くすることができる。
【００７６】
更に、上記実施形態においては、例えば図４に示したように、ランプフランジ２６の壁状部２６ｂは大径部１９ｂの略全面を包囲するように設けたが、これに限られることなく、例えば図１４に示すように、壁状部２６ｂが大径部１９ｂの略半分を包囲するようにしても良い。
【００７７】
更に、上記実施形態においては、例えば図４に示したように、大径部１９ｂを設けることにより、容器１９に外径の違いを生じさせているが、これに限られることなく、例えば図１５に示すように、容器１９の外径を一律的に設けても良い。
【００７８】
更に、上記実施形態においては、例えば図４に示したように、陽極２３ａの尖端と陰極２０ａの尖端とは光軸上で対向しているが、これに限られることなく、例えば図１６に示すように、光軸と交差或いは直交する線上で、陽極２３ａの尖端と陰極２０ａの尖端とが対向するようにしても良い。
【図面の簡単な説明】
【００７９】
【図１】フラッシュ光源装置の外面構成を示す斜視図である。
【図２】フラッシュ光源装置の内部構成を示す右側面図である。
【図３】ＸｅＦランプを示す斜視図である。
【図４】図３の長手方向に沿った概略断面図である。
【図５】トリガソケット等を示す斜視図である。
【図６】ＸｅＦランプにトリガソケットが嵌合された状態で、光学ボックスに固定された様子を示す図である。
【図７】図６において、ＸｅＦランプの中心軸とランプフランジの中心軸とをずらした場合の様子を示す図である。
【図８】ＸｅＦランプの分解斜視図である。
【図９】ＸｅＦランプの分解斜視図である。
【図１０】トリガソケットの分解斜視図である。
【図１１】ＸｅＦランプ及びトリガソケットの取り付け構造の分解斜視図である。
【図１２】ＸｅＦランプ及びトリガソケットの取り付け構造の分解斜視図である。
【図１３】ＸｅＦランプ及びトリガソケットが、光学ボックスに固定された様子を示す図である。
【図１４】ＸｅＦランプ等を示す図である。
【図１５】ＸｅＦランプ等を示す図である。
【図１６】ＸｅＦランプ等を示す図である。
【符号の説明】
【００８０】
１…フラッシュ光源装置、２…ハウジング、３…上部ハウジング、３ａ…前面、３ｂ…背面、３ｃ…左側面、３ｄ…右側面、３ｅ…上面、４…下部ハウジング、４ａ…前面、４ｂ…背面、４ｃ…左側面、４ｄ…右側面、４ｅ…底面、５…光源部、６…駆動部、７…光出射口、７ａ…ファイバ差込口、７ｂ…ファイバ、８…操作パネル、９…蓋部、１０…外気取込口、１１，１１７…光学ボックス、１１ａ…前面、１１ｂ…背面、１１ｃ…出射開口部、１１ｄ，１１８…ランプ挿入口、１２…ＸｅＦランプ、１３…反射ミラー、１４，１０３…トリガソケット、１４ａ…ケーブル、１５…ソケット側コネクタ、１６…駆動部側コネクタ、１７…仕切り板、１８…電源供給部、１９…容器、１９ａ…投光窓部、１９ｂ…大径部、２０，２１，２２，２３，１０１ａ…ステムピン、２０ａ…陰極、２１ａ，２２ａ…トリガープローブ電極、２３ａ…陽極、２４…ステム、２５，１０１ｂ…排気管、２６，１０５…ランプフランジ、２６ａ…本体部、２６ｂ，１０５ａ…壁状部、２６ｃ…位置決め部、２６ｄ…段差部、２６ｅ…外面、２７…接着部材、２８…フランジ部、２９…嵌合部、２９ａ…嵌合穴、３０…ソケットフランジ、３１…窪み部、３２…ランプ挿入口、３２ａ…内壁、３２ｂ…端部、３２ｃ…外面、３３…切欠部、３４…突起部、３５，１１６…固定部材、３５ａ…内壁、３５ｂ…縁部、３６…ソケット挿通部、１０１…ＸｅＦランプ本体（ランプフランジ１０５を含まず）、１０２…ＸｅＦランプ、１０４…トリガソケット、１０５ｂ，１０７ａ，１０７ｂ，１１０ａ…溝部、１０６…ランプ側スペーサ、１０７…絶縁リング、１０８…コネクタ基板、１０９…ステムピン挿入部材、１０９ａ…ステムピン挿入穴、１１０…基板、１１１…ランプ側コネクタ、１１２…トリガ本体、１１３…ソケット基板、１１４…ソケット側コネクタ、１１５…ソケット側スペーサ、１１９…切込部、１２０…突起、１２１…ランプ押え部。
【図１】
2008047363.tif 000003
【図２】
2008047363.tif 000004
【図３】
2008047363.tif 000005
【図４】
2008047363.tif 000006
【図５】
2008047363.tif 000007
【図６】
2008047363.tif 000008
【図７】
2008047363.tif 000009
【図８】
2008047363.tif 000010
【図９】
2008047363.tif 000011
【図１０】
2008047363.tif 000012
【図１１】
2008047363.tif 000013
【図１２】
2008047363.tif 000014
【図１３】
2008047363.tif 000015
【図１４】
2008047363.tif 000016
【図１５】
2008047363.tif 000017
【図１６】
2008047363.tif 000018